【事件の表示】
　特許第２７１２５１３号「農作業機の操作装置」の特許に対する特許異議の申立てについて、次のとおり決定する。
【結論】
　訂正を認める。
　特許第２７１２５１３号の特許を維持する。
【理由】
１．手続の経緯
　本件特許第２７１２５１３号は、平成１年３月２４日に出願された特願平１−７３５２１号として特許出願されたものであって、平成９年１０月３１日に設定登録がされ、その後、特許異議の申立てが、山本進（以下、申立人という。）よりなされ、当審において取消理由通知がされ、その指定期間内に訂正請求がなされたものである。
２．訂正の適否のついての判断
　ア．訂正の内容
　本件訂正の要旨は、本件特許の明細書を平成１１年７月１３日付け訂正請求書に添付した訂正明細書のとおり次のように訂正しようとするものである。
（１）【特許請求の範囲】【請求項１】を，『農作深装置３を駆動する動力を機械的な操作により入り切り操作するクラッチ５と、農作業装置３を昇降する油圧機構の油流を切換え操作する昇降制御弁１とを備えた農作業機において、前記クラッチ５の入り切り操作をモータ８により駆動する構成とし、且つ操作レバー７の操作によりスイッチ１３、１４が切り換わることにより該モータ８が作動する構成とするとともに前記昇降制御弁１も切換え操作される構成とし、操作レバー７を、農作業装置３を上昇させる位置に操作して前記スイッチ１３，１４が切り換わることにより、前記モータ８が駆動して前記クラッチ５が切りに操作されるとともに、前記昇降制御弁１が農作業装置３を上昇させるよう切換え操作される構成としたことを特徴とする農作業機の操作装置』と訂正する。
（２）【発明の詳細な説明】の〔課題を解決するための手段〕の項を、『この発明は、上記課題を解決するために、農作業装置３を駆動する動力を機械的な操作により入り切り操作するクラッチ５と、農作業装置３を昇降する油圧機構の油流を切換え操作する昇降制御弁１とを備えた農作業機において、前記クラッチ５の入り切り操作をモータ８により駆動する構成とし、且つ操作レバー７の操作によりスイッチ１３，１４が切り換わることにより該モータ８が作動する構成とするとともに前記昇降制御弁１も切換え操作される構成とし、操作レバー７を、農作業装置３を上昇させる位置に操作して前記スイッチ１３，１４が切り換わることにより、前記モータ８が駆動して前記クラッチ５が切りに操作されるとともに、前記昇降制御弁１が農作業装置３を上昇させるよう切換え操作される構成としたことを特徴とする農作業機の操作装置とした。』と訂正する。
（３）【発明の詳細な説明】の〔作用〕の項を、『この発明の農作業機の操作装置は、作業走行するときは、農作業装置３を下降状態とし且つ農作業装置３の駆動を入り状態として、作業走行を行なう。旋回するときは、操作レバー７を、農作業装置３を上昇させる位置に操作して前記スイッチ１３，１４が切り換わることにより、モータ８が駆動してクラッチ５が切りに操作されるとともに、昇降制御弁１が農作業装置３を上昇させるよう切換え操作される。』と訂正する。
　イ．訂正の目的の適否、新規事項の有無及び拡張、変更の存否
　上記訂正（１）において、「．．．且つ該モータ８の作動を操作レバー７の操作により作動する構成とするとともに、該操作レバー７の操作により前記昇降制御弁１も切換え操作される構成とし、操作レバー７を、農作業装置３を上昇させる位置に操作すると、．．．」の記載を，『．．．且つ操作レバー７の操作によりスイッチ１３、１４が切り換わることにより該モータ８が作動する構成とするとともに前記昇降制御弁１も切換え操作される構成とし、操作レバー７を、農作業装置３を上昇させる位置に操作して前記スイッチ１３，１４が切り換わることにより．．．』と訂正することは、操作レバー７の操作により前記昇降制御弁１を切換え操作される構成を具体化して、昇降制御弁１を切換え操作するためにスイッチ１３，１４とモータ８を構成要件としたものであるから、特許請求の範囲の減縮を目的とする。
　上記訂正（２）、（３）は、前記のように特許請求の範囲が訂正されたことに伴い、特許請求の範囲の記載と発明の詳細な説明の記載とを整合させる、明りょうでない記載の釈明を目的とする。
　また、上記訂正（１）〜（３）は、明細書又は図面に記載された事項の範囲内においてなされたものであるから、新規事項の追加に該当せず、また、実質上特許請求の範囲を拡張し変更するものでもない。
　ウ．独立特許要件
（取消理由通知の概要）
　取消理由通知の概要は、本件発明が、本件出願前に頒布された下記刊行物１，２記載の発明に基づいて当業者が容易に発明をすることがきたものであるから、本件特許は、特許法第２９条第２項の規定に違反してなされたというものである。
　　　　　　　　　　記
刊行物１：実願昭５５−２１５０７号（実開昭５６−１２２３２１号）のマイクロフィノレム（甲１号証）
刊行物２：特開昭６０−１１０２０９号公報（甲第２号証）
　上記刊行物１には、「農作業装置（植付け装置１）を駆動する動力を機械的な操作により入り切り操作するクラッチ（植付けクラッチ４）と、農作業装置を昇降する油圧機構（油圧シリンダ１３）の油流を切換え操作する昇降制御弁（コントロールバルブ１７）とを備えた農作業機（田植機）において、操作レバー（昇降操作レバー１８）を操作してスイッチ（５Ａ，５Ｂ）が切り替わることにより前記電動アクチュエータが駆動して前記クラッチが入り切りに操作されるとともに、操作レバーを操作することにより、操作レバーに直結した前記昇降制御弁が農作業装置を昇降させるようにした農作業機の操作装置。」が記載されている。
　上記刊行物２には、農作業装置（刈取部Ｋ）を駆動する動力を機械的な操作により入り切り操作するクラッチ（刈取クラッチ）と、農作業装置を昇降する油圧機構（油圧シリンダ４）の油流を切換え操作する昇降制御弁（電磁弁）とを備えた農作業機において、「操作具（手動スイッチ４８）の操作にて、直接スイッチ回路５１（又は５２）をＯＮしてソレノイドＳｕ（又はＳｄ）を励磁し、刈取部Ｋを上昇（又は下降）させる。」（第４頁右上欄第１〜４行）、「さらに一工程の刈取を終了して次行程への旋回を行うに際し、刈取部Ｋを上昇させると、．．．．．所定時間経過後にＡＮＤゲート出力はローレベルとなり、モータ２９は逆転駆動されて刈り取りクラッチは離脱状態となる。」（第４頁右上欄下４行〜左下欄第６行）と記載されている。
　訂正明細書の請求項１に係る発明と上記刊行物１記載の発明とを対比すると、少なくとも、訂正明細書の請求項１に係る発明が、（ａ）「前記クラッチ５の入り切り操作をモータ８により駆動する構成とし、且つ操作レバー７の操作によりスイッチ１３、１４が切り換わることにより該モータ８が作動する構成とするとともに前記昇降制御弁１も切換え操作される構成とし、操作レバー７を、農作業装置３を上昇させる位置に操作して前記スイッチ１３，１４が切り換わることにより、前記モータ８が駆動して前記クラッチ５が切りに操作されるとともに、前記昇降制御弁１が農作業装置３を上昇させるよう切換え操作される構成とした」のに対して、刊行物１記載の発明は、このような構成を有しない点で相違する。
　すなわち、訂正明細書の請求項１に係る発明が、操作レバー７の操作によりスイッチ１３、１４が切り換わり、スイッチ１３、１４が切り換わることによりモータ８が駆動し、モータ８が駆動することによりクラッチ５の入り切り操作及び農作業装置３の昇降操作を行う構成としたのに対し、刊行物１記載の発明は、操作レバー（昇降操作レバー１８）の操作により、スイッチ（５Ａ，５Ｂ）を切り換え、電気制御されたアクチュエータで、クラッチ（植付クラッチ４）の入り切り操作を行うが、農作業装置３の昇降操作は、操作レバーを操作し、操作レバー（昇降操作レバー１８）に直結した昇降制御弁（コントロールバルブ１７）を作動させることにより行うようにしたものである。
　上記相違点を検討するために、刊行物２を検討すると、刊行物２には、操作具（手動スイッチ４８）の操作にて、ソレノイドＳｕ（又はＳｄ）を励磁し、農作業装置（刈取部Ｋ）を上昇（又は下降）させること、及び、農作業装置を上昇させると、所定時間経過後にモータ（２９）が駆動されてクラッチ（刈り取りクラッチ）は離脱状態となることは記載されているものの、訂正明細書の請求項１に係る発明のように、操作レバーの操作によりスイッチが切り換わり、スイッチが切り換わることによりモータが駆動し、モータが駆動することによりクラッチの入り切り操作と農作業装置の昇降操作の両操作を行う構成としたことは記載されていない。
　したがって、上記刊行物２記載の発明を、上記刊行物１記載の発明に適用しても、訂正明細書の請求項１に係る発明にはなりえず、訂正明細書の請求項１に係る発明は、本件特許出願の際独立して特許を受けることができるものである。
　エ．むすび
　以上のとおりであるから、本件訂正請求は、特許法等の一部を改正する法律（平成６年法律第１１６号）附則第６条第１項の規定によりなお従前の例によるとされる、特許法１２０条の４第２項、同条第３項で準用する第１２６条第２〜４項の規定に適合するので、当該訂正は認める。
３．本件発明
　訂正後の本件特許明細書の特許請求の範囲の請求項１に記載された発明（以下、本件発明という。）は、訂正明細書の特許請求の範囲の請求項１に記載された次の事項により特定されるとおりのものである。
「農作業装置３を駆動する動力を機械的な操作により入り切り操作するクラッチ５と、農作業装置３を昇降する油圧機構の油流を切換え操作する昇降制御弁１とを備えた農作業機において、前記クラッチ５の入り切り操作をモータ８により駆動する構成とし、且つ操作レバー７の操作によりスイッチ１３、１４が切り換わることにより該モータ８が作動する構成とするとともに前記昇降制御弁１も切換え操作される構成とし、操作レバー７を、農作業装置３を上昇させる位置に操作して前記スイッチ１３，１４が切り換わることにより、前記モータ８が駆動して前記クラッチ５が切りに操作されるとともに、前記昇降制御弁１が農作業装置３を上昇させるよう切換え操作される構成としたことを特徴とする農作業機の操作装置。」
４．特許異議の申立てについて
　申立人の申立ての概要は、「本件の特許請求の範囲には訂正前の本件発明の構成に欠くことのできない事項のみが記載されておらず、又、訂正前の本件発明が本件出願前に頒布された下記甲第１号証〜甲第３号証の２記載の発明に基づいて容易に発明をすることができたものであるから、本件特許は、特許法第３６条第４項第２号の規定を満たさずになされた、又は、同法第２９条第２項の規定に違反してなされた」というものである。
　　　　　　　　　　　記
甲１号証：実願昭５５−２１５０７号（実開昭５６−１２２３２１号）のマイクロフィルム
甲第２号証：特開昭６０−１１０２０９号公報
甲第３号証：実開昭６４−４７４４０号公報
甲第３号証の１：実願昭６２−１４２５０１号（実開昭６４−４７４４０号）のマイクロフィルム
（第３６条第４項第２号について）
　申立人は、「（本件発明の実施例は）植付クラッチ５と昇降制御弁１は、操作レバー７による人為的な操作力またはモータ８の駆動力のいずれでも制御できるものであるが、．．．．．レバー操作力で連動アーム１８が操作されるときはその操作力で両者（１，５）が共に操作され、モータ８で制御されるときも両者（１，５）は共にモータ８の駆動力で制御されるものである。しかるに、本件の特許請求の範囲の前記のような「クラッチ５の入り切りをレバー７の操作により作動するモータ８で行う構成とし、昇降制御弁１の切換えを操作レバー７の操作により行う」との意味に受け取れるような記載は、発明を開示している実施例構造と合致せず、本件特許請求の範囲には構成に欠くことのできない事項のみが記載されていないものであり、その記載は極めて不明瞭である。したがって、本件特許は特許法第３６条第４項第２号の規定を満たされていない状態で特許登録されたものである。」（申立書第５頁第９〜２５行）と主張している。
　しかしながら、訂正請求により、特許請求の範囲に記載の事項により特定される本件発明は、
「操作レバーの操作によりスイッチが切り換わり、スイッチが切り換わることによりモータが駆動し、モータが駆動することによりクラッチの入り切り操作と農作業装置の昇降操作の両操作を行う構成」ものとなり、申立人が主張しているような「クラッチ５の入り切りをレバー７の操作により作動するモータ８で行う構成とし、昇降制御弁１の切換えを（モータ８を介することなく）操作レバー７の操作により行う」との意味に受け取ることはできなくなり、申立人の「（特許請求の範囲に記載の事項により特定される本件発明は）発明を開示している実施例構造と合致せず、本件特許請求の範囲には構成に欠くことのできない事項のみが記載されていないものである。」という主張は理由がない。
（第２９条第２項について）
　甲第１号証には、上記刊行物１記載のとおりの発明が記載されている。
　甲第２号証には、上記刊行物２記載のとおりの発明が記載されている。
　甲第３号証、甲第３号証の２には、一本の植付昇降レバー（７Ａ）による前後操作で、農作業機を「上昇」「中立」「下降」「植付クラッチ入り」「植付クラッチ切り」を行うよう構成されたことが記載されている。
　本件発明と甲第１、２号証記載の発明とを対比すると、上記「ウ．独立特許要件」の項においてのべたとおり、本件発明が甲第１，２号証記載の発明に基づいて当業者が容易に発明をすることができたものではない。
　また、甲第３号証、甲第３号証の２には、一本の植付昇降レバー（７Ａ）による前後操作で、農作業機を「上昇」「中立」「下降」「植付クラッチ入り」「植付クラッチ切り」を行うよう構成されたことが記載されているものの、上記相違点（ａ）が記載されていない以上、甲第１号証〜甲第３号証の２を組み合わせても、本件発明の構成にはなりえず、本件発明が甲第１号証〜甲第３号証記載の発明に基づいて当業者が容易に発明をすることができたものではない。
　したがって、本件特許は、特許法第３６条第４項第２号を満たさずになされたとも、同法第２９条第２項の規定に違反してなされたものともいえない。
５．むすび
　以上のことから、申立人の申し立ての理由及び提出した証拠方法によっては、本件特許を取り消すことができない。
　また、他に本件特許を取り消すべき理由を発見しない。
　よって、結論のとおり決定する。
【異議決定日】
平成１１年９月２７日（１９９９．９．２７）
【訂正の要旨】
訂正の要旨
　本件訂正の要旨は、本件特許の明細書を特許請求の範囲の減縮及び明りょうでない記載の釈明を目的として、訂正明細書のとおり次のように訂正しようとするものである。
（１）【特許請求の範囲】【請求項１】を，『農作業装置３を駆動する動力を機械的な操作により入り切り操作するクラッチ５と、農作業装置３を昇降する油圧機構の油流を切換え操作する昇降制御弁１とを備えた農作業機において、前記クラッチ５の入り切り操作をモータ８により駆動する構成とし、且つ操作レバー７の操作によりスイッチ１３、１４が切り換わることにより該モータ８が作動する構成とするとともに前記昇降制御弁１も切換え操作される構成とし、操作レバー７を、農作業装置３を上昇させる位置に操作して前記スイッチ１３，１４が切り換わることにより、前記モータ８が駆動して前記クラッチ５が切りに操作されるとともに、前記昇降制御弁１が農作業装置３を上昇させるよう切換え操作される構成としたことを特徴とする農作業機の操作装置』と訂正する。
（２）【発明の詳細な説明】の〔課題を解決するための手段〕の項を、『この発明は、上記課題を解決するために、農作業装置３を駆動する動力を機械的な操作により入り切り操作するクラッチ５と、農作業装置３を昇降する油圧機構の油流を切換え操作する昇降制御弁１とを備えた農作業機において、前記クラッチ５の入り切り操作をモータ８により駆動する構成とし、且つ操作レバー７の操作によりスイッチ１３，１４が切り換わることにより該モータ８が作動する構成とするとともに前記昇降制御弁１も切換え操作される構成とし、操作レバー７を、農作業装置３を上昇させる位置に操作して前記スイッチ１３，　１４が切り換わることにより、前記モータ８が駆動して前記クラッチ５が切りに操作されるとともに、前記昇降制御弁１が農作業装置３を上昇させるよう切換え操作される構成としたことを特徴とする農作業機の操作装置とした。』と訂正する。
（３）【発明の詳細な説明】の〔作用〕の項を、『この発明の農作業機の操作装置は、作業走行するときは、農作業装置３を下降状態とし且つ農作業装置３の駆動を入り状態として、作業走行を行なう。旋回するときは、操作レバー７を、農作業装置３を上昇させる位置に操作して前記スイッチ１３，１４が切り換わることにより、モータ８が駆動してクラッチ５が切りに操作されるとともに、昇降制御弁１が農作業装置３を上昇させるよう切換え操作される。』と訂正する。
（５４）【発明の名称】
農作業機の操作装置
（５７）【特許請求の範囲】
（１）農作業装置３を駆動する動力を機械的な操作により入り切り操作するクラッチ５と、農作業装置３を昇降する油圧機構の油流を切換え操作する昇降制御弁１とを備えた農作業機において、前記クラッチ５の入り切り操作をモータ８により駆動する構成とし、且つ
操作レバー７の操作によりスイッチ１３，１４が切り換わることにより該モータ８が作動する構成とするとともに
して前記スイッチ１３，１４が切り換わることにより
【発明の詳細な説明】
〔産業上の利用分野］
　この発明は、苗植装置等の農作業装置を駆動する動力を機械的な操作により入り切り操作するクラッチと、農作業装置を昇降する油圧機構の油流を切換え操作する昇降制御弁とを備えた農作業機の操作装置に関する。
〔従来の技術〕
　従来、特開昭６３−２１４１０７号公報に示されるように、農作業装置を駆動する動力を機械的な操作により入り切り操作するクラッチと、農作業装置を昇降する油圧機構の油流を切換え操作する昇降制御弁とを備えた農作業機において、前記クラッチの入り切り操作を、操作レバーの操作がワイヤーを介して伝達されて操作される構成とするとともに、該操作レバーの操作により前記昇降制御弁も切換え操作される構成とした農作業機の操作装置があった。
〔発明が解決しようとする課題〕
　ところで、農作業機を用いて圃場内で農作業を進める場合、農作業装置を駆動しながら直進走行し、畦際に至るとＵターンし、往復作業走行を繰り返して農作業を進めていくことが多い。この場合、畦際での旋回時においては、農作業装置の駆動を切るとともに農作業装置を上昇させて、ハンドルを大きく切って旋回を行なうことになるので、旋回時に行なうべき操作が多く操作が容易でない。
　そこで、上記の従来のものは、旋回時において、操作レバーでクラッチを切りに操作すると、それに連動して昇降制御弁が農作業装置を上昇させるよう切換え操作されるようにすることができるので、操作性を向上させることができる。しかし、この従来装置のクラッチは機械的な操作により入り切り操作する構成で、そのクラッチの入り切り操作は操作レバーの操作で行なうようになっているため、操作レバーの操作荷重が比較的重いものとなり、作業が進み旋回が多く繰り返されていくと疲れてくるとの問題があった。
　なお、農用トラクタにおいて、農作業装置の駆動を入り切りするクラッチを油圧式クラッチに構成して、その油圧式のクラッチの入り切りを電磁バルブで切り換えるようにして、クラッチ操作の操作荷重が軽いものがある。しかし、このものは、クラッチを油圧式にするため、クラッチの大型化やコストアップの問題がある。
　そこで、本件発明は、クラッチの大型化やコストアップを抑制しつつ、旋回時に行なう農作業装置の駆動の入り切り操作、及び農作業装置の上昇操作を容易且つ軽快に行なえるようにして旋回時の操作性を向上させること課題とする。
〔課題を解決するための手段〕
　この発明は、上記課題を解決するために、農作業装置３を駆動する動力を機械的な操作により入り切り操作するクラッチ５と、農作業装置３を昇降する油圧機構の油流を切換え操作する昇降制御弁１とを備えた農作業機において、前記クラッチ５の入り切り操作をモータ８により駆動する構成とし、
且つ操作レバー７の操作によりスイッチ１３、１４が切り換わることにより該モータ８が作動する構成とするとともに
して前記スイッチ１３，１４が切り換わることにより
〔作用］
　この発明の農作業機の操作装置は、作業走行するときは、農作業装置３を下降状態とし且つ農作業装置３の駆動を入り状態として、作業走行を行なう。旋回するときは、操作レバー７を、農作業装置３を上昇させる位置に操作
して前記スイッチ１３，１４が切り換わることにより、
〔発明の効果〕
　よって、この発明は、前記のような構成としたので、クラッチの大型化やコストアップを抑制しつつ、旋回時に行なう農作業装置の駆動の入り切り操作、及び農作業装置の上昇操作を容易且つ軽快に行なえるようにして旋回時の操作性を向上させることができる。
〔実施例〕
　図に示したこの発明の一実施例を以下に説明する。
　操作レバー７は、レバー軸９回りに前後回動自在に設け、車体２の操縦席１０の側部に設ける。１１はこの操作レバー７に抵抗を与えるブレーキライニングで、操作レバー７を回動案内する案内溝部に沿って設ける。該レバー軸９の回りに回動自在のスイッチアーム１２を設け、このスイッチアーム１２には、モータ８の正転スイッチ１３及び逆転スイッチ１４を設け、該操作レバー７を前側（イ）へ所定角以上回動すると正転スイッチ１３がＯＮし、これとは反対方向の後側（口）へ所定角以上回動すると逆転スイッチ１４がＯＮする関係に設けている。
　モータ８は正逆転モータで、このモータ軸１５には連動アーム１６が固定されて、該スイッチアーム１２との間をロッド１７で連結し、センサフロート４及び苗植クラッチ５を操作する連動アーム１８との間をワイヤー１９で連結し、変速装置６の変速アーム２０との間をロッド２１で連結して、操作レバー７によるスイッチアーム１２、ロッド１７、及び連動アーム１６による駆動力と、該モータ８による駆動力とによって、これら連動アーム１８及び変速アーム２０を操作することができる。即ち、この構成は、操作レバー７を強く操作することで、強制的に、連動アーム１８及び変速アーム２０を操作するよう作用させることもできるのであり、また、当然ながら、操作レバー７を軽く操作して、前記正転スイッチ１３或は逆転スイッチ１４をＯＮに切り換え操作するだけで、モータ８による駆動力で、連動アーム１８及び変速アーム２０を操作するようにもできるのである。
　センサフロート４は、苗植装置３の機体２２に対して、後部の植付装置２３による植付位置近傍に位置する支軸２４を回動軸として、上下回動自在に設けられ、土壌面を接地滑走しながら均平する。このセンサフロート４の前部はワイヤー２５で連動アーム１８に連結し、機体２２に設ける昇降制御弁１を中立位置Ｎから上昇位置Ｔ又は下降位置Ｄへ切換える関係に連動する。この昇降制御弁１は、油圧ポンプ２６と、車体２に対して苗植装置３を昇降する昇降シリンダー２７との間の油圧回路２８に設けられている。センサーフロート４が所定領域以上に上動することにより、昇降シリンダー２７を伸長させて、車体２に対して苗植装置３を上昇し、又、逆にセンサフロート４が所定領域以下に下動することにより、昇降シリンダー２７が短縮して、苗植装置３を下降するように制御連動する。連動アーム１８によってワイヤー２５を引くと、昇降制御弁１を上昇位置Ｔへ切換えるように連動する。
　苗植クラッチ５は、苗タンク２９及び植付装置２３を伝動する機体２２内に設けられ、クラッチカム３０を係止ピン３１の出没によって係止するこによって苗植クラッチ５を切り位置ＯＦＦとすることができ、係止ピン３１の離脱によって入り位置ＯＮにすることができ、苗植装置３の駆動を入り切りすることができる。この係止ピン３１は、前記連動アーム１８の回動によってカム作動で上下回動されるアーム３２に設けられ、連動アーム１８のカム３３にこのアーム３２のローラ３４が常時摺動するように設けられている。
　変速アーム２０のテンションプーリ３５は、エンジン３６側の駆動プーリ３７とミッションケース３８側の従動プーリ３９との間に張設するベルト４０を張圧する。これにより、割プーリとした従動プーリ３９のベルト巻回径を変更して、変速装置６を低速位置Ｌから高速位置Ｈまで変速する。
　これら、操作レバー７の操作角度と昇降制御弁１の切換、苗植クラッチ５の入り切り、及び変速装置６での変速との関係は、後端位置から前端位置へ適宜角度で、上昇位置Ｔ→中立位置Ｎ→下降位置Ｄ及び切り位置ＯＦＦ→入り位置ＯＮ及び低速位置Ｌ→高速位置Ｈとしている。
　なお、車体２の前部には、操向ハンドル４１によってパワーステアリングシリンダー４２を介して前車輸４３を操向操作するように構成している。４４は、ステアリング軸、４５は該ステアリング軸４４のアームと前車輸４３の車輪４６の軸ケースに取付けたアーム４７との間を連結する伸縮自在のパルブシリンダーで、内部にパワーステアリングシリンダー４２の油圧回路４８を切換えるステアリングバルブ４９を設け、ステアリング軸４４が一定角度以上に操向回動されることによってパワーステアリングシリンダー４２を油圧により伸縮作動するように構成し、直進走行性を良くしている。５０はバルブシリンダー４５とピストン５１との間の平衡ばねである。５２は前車軸ハウジング、５３はタイロッドである。また、パワーステアリングシリンダー４２は、バルブシリンダー４５側のアーム４７とは反対側のアーム４７と車体２との間に亘って連結している。５４はアキュムレータである。
　前車輪４３及び後車輪５５を伝動駆動して四輪駆動形態としている。５６は苗植装置３を取付けて昇降シリンダー２７によって昇降自在にして連結する昇降リンクである。５７は施肥タンクで、苗タンク２９の前側において昇降リンク５６によって一体的に昇降するように設け、苗植装置３の機体２２の下側に設けるフロート４によって均平される位置に施肥する。
　前記ワイヤー１９には、連動解除レバー５８を設け、この連動解除レバー５８でアウターワイヤー５９のストッパー６０を押して解除位置（ハ）にすることにより、ワイヤー１９を引っ張り、苗植クラッチ５を切りとし、昇降制御弁１を上昇位置Ｔとして、連動アーム１６から連動アーム１８への連動機能を解除することとなる。また、この連動解除レバー５８を連動位置（二）にすることによって、これら連動アーム１６，１８間の連動が行われる状態となる。
　車体２の前端部上には、この車体２の振れを検出する角速度センサー６１を設け、この角速度センサー６１による車体２の振れ角度が小さい領域であるときは、ブザーを鳴らし、大きい領域になるとソレノイド６２を作動して、エンジン３６から伝動装置へ伝動する主クラッチを切るように連動構成する。
【図面の簡単な説明】
　図はこの発明の一実施例を示すもので、第１図は一部の操作連動機構図、第２図はその一部の正面図、第３図は一部の作用図、第４図は側面図、第５図は一部の平面図、第６図は油圧回路図である。
　図中の符号の一部について以下に示す。
　１：昇降制御弁
　３：農作業装置
　５：クラッチ
　７：操作レバー
　８：モータ